(57)【要約】【課題】  保守作業の効率を高めることのできる監視板を提供する。【解決手段】  監視板１は、マルチディスプレイ１１、監視板名称銘板１２，アラームリセットスイッチ１３，保守スイッチ１４，自動/手動切替スイッチ１５，手動切替スイッチ１６，１号系電源表示灯１７，及び２号系電源表示灯１８を、筐体１ａの前面に備えて構成されている。マルチディスプレイ１１には、監視板１を受信機の監視表示、送信機の監視表示の何れに用いるかに応じて、監視項目の表示が行われる。また、保守スイッチ１４の操作でログ表示を行うことができる。【選択図】図１
2009260469.tif 000002
【特許請求の範囲】
【請求項１】
送信機又は受信機の運用状況の監視結果を表示する監視板であって、
監視項目の現在若しくは過去の監視結果を表す複数の監視情報を、盤面に設けられた操作部の操作に応じて、並べて又は切り替えて画像表示する表示装置を備えたことを特徴とする監視板。
【発明の詳細な説明】
【技術分野】
【０００１】
本発明は、送信機又は受信機の運用状況の監視結果を表示する監視板に関するものである。
【背景技術】
【０００２】
送受信機の運用状況を監視する装置としては、下記の特許文献１に記載の無線基地局制御装置が開示されている。無線基地局制御装置は、２系統備えた無線装置の何れか一方を動作させ、他方を待機させている。各系統の無線装置は、互いの運用状況を監視しており、動作中の系統で異常が生じると、待機中の系統を動作させ、動作中の系統を待機させる。このような監視結果は、監視板で確認される。
【０００３】
【特許文献１】特開平１１−３４１５４７号公報
【発明の開示】
【発明が解決しようとする課題】
【０００４】
従来の監視板では、送信，受信の各用途に合わせてパネルを用意し、それぞれ表示灯スイッチの配置等を行う必要があった。このため、保守作業が煩雑であった。
【０００５】
本発明は斯かる課題に鑑みてなされたもので、保守作業の効率を高めることのできる監視板を提供することを目的とする。
【課題を解決するための手段】
【０００６】
このような目的を達成するために、本発明の監視板は、送信機又は受信機の運用状況の監視結果を表示する監視板であって、監視項目の現在若しくは過去の監視結果を表す複数の監視情報を、盤面に設けられた操作部の操作に応じて、並べて又は切り替えて画像表示する表示装置を備えたことを特徴とする。
【発明の効果】
【０００７】
本発明によれば、送信，受信の各用途毎に異なる監視項目の表示を表示装置で行うことで、監視板のパネルの構成を変えることなく、共通の装置として製作できる。従って、保守作業の効率を高めることができる。
【発明を実施するための最良の形態】
【０００８】
以下、図面を参照して、本発明の最良の形態について説明する。
図１は、本実施形態の監視板１の外観構成の概略を示す正面図である。図２は、監視板１を受信機の監視表示に用いる場合のマルチディスプレイ１１での表示画像を説明する図である。図３は、監視板１を送信機の監視表示に用いる場合のマルチディスプレイ１１での表示画像を説明する図である。図４は、受信機の監視に用いた監視板１のマルチディスプレイ１１でのログの表示画像を説明する図である。
【０００９】
監視板１は、マルチディスプレイ１１、監視板名称銘板１２，アラームリセットスイッチ１３，保守スイッチ１４，自動/手動切替スイッチ１５，手動切替スイッチ１６，１号系電源表示灯１７，及び２号系電源表示灯１８を、筐体１ａの前面に備えて構成されている。マルチディスプレイ１１は、フラットパネルディスプレイ、ＬＥＤ、プロジェクタ等の表示装置を用いて構成することができる。監視板名称銘板１２には、送信機の監視表示用、受信機の監視表示用の何れに監視板１を用いているかを表すパネルが取り付けられる。
【００１０】
マルチディスプレイ１１には、監視板１を受信機の監視表示に用いるときには、図２に示すように、１号系復調器監視表示部２１，１号系変換器監視表示部２２，２号系復調器監視表示部２３，２号系変換器監視表示部２４，系統表示部２５，１号系選択表示部２６，及び２号系選択表示部２７が画像表示される。また、監視板１を送信機の監視表示に用いるときには、図３に示すように、１号系変調器監視表示部４１，１号系変換器監視表示部４２，２号系変調器監視表示部４３，２号系変換器監視表示部４４，系統表示部４５，１号系選択表示部４６，及び２号系選択表示部４７が画像表示される。
【００１１】
図２に示す１号系復調器監視表示部２１は、１号系受信装置の６４ＱＡＭ復調器の正常/異常の監視結果を表示するためのものである。１号系変換器監視表示部２２は、１号系受信装置の受信変換器の正常/異常の監視結果を表示するためのものである。２号系復調器監視表示部２３は、２号系受信装置の６４ＱＡＭ復調器の正常/異常の監視結果を表示するためのものである。２号系変換器監視表示部２４は、２号系受信装置の受信変換器の正常/異常の監視結果を表示するためのものである。これらの表示部には、上段では監視対象を表す表示、下段では監視結果である「正常」又は「異常」を表す表示が行われる。
【００１２】
また、１号系選択表示部２６は、１号系受信装置の６４ＱＡＭ復調器に接続されているOFDM（直交周波数分割多重）変調器とＴＴＬ（Transmitter to Transmitter Link）装置とが選択されているか否かを表示するためのものである。１号系選択表示部２６は、上段がOFDM変調器が選択されていることを示すOFDM変調器選択表示部、下段がＴＴＬ装置が選択されていることを示すＴＴＬ装置選択表示部となっている。１号系選択表示部２６は、１号系受信装置の後段に接続されているOFDM変調器が選択されていると上段が、ＴＴＬが選択されていると下段が、それぞれ点灯表示される。２号系選択表示部２７は、２号系受信装置の６４ＱＡＭ復調器に後段のOFDM変調器とＴＴＬ装置とが選択されているか否かを表示するためのものであり、１号系選択表示部２６と同様に選択先に応じた表示が行われる。
【００１３】
図３に示す１号系変調器監視表示部４１は、１号系送信装置の６４ＱＡＭ変調器の正常/異常の監視結果を表示するためのものである。１号系変換器監視表示部４２は、１号系送信装置の送信変換器の正常/異常の監視結果を表示するためのものである。２号系変調器監視表示部４３は、２号系送信装置の６４ＱＡＭ変調器の正常/異常の監視結果を表示するためのものである。２号系変換器監視表示部４４は、２号系送信装置の送信変換器の正常/異常の監視結果を表示するためのものである。これらの表示部には、上段では監視対象を表す表示、下段では監視結果である「正常」又は「異常」を表す表示が行われる。
【００１４】
また、１号系選択表示部４６は、１号系送信装置の６４ＱＡＭ変調器の前段に接続されているOFDM変調器とＴＴＬ装置とが選択されているか否かを表示するためのものである。２号系選択表示部４７は、２号系送信装置の前段に接続されているOFDM復調器とＴＴＬ装置とが選択されているか否かを表示するためのものである。１号系選択表示部４６及び２号系選択表示部４７では、１号系選択表示部２６及び２号系選択表示部２７と同様に、選択先に応じた表示が行われる。
【００１５】
図２に示す系統表示部２５は、１号系／２号系の何れの受信装置に受信入力が分配されているかを表示するためのものである。系統表示部２５は、１号，２号の各系統の監視結果の表示部２１，２２及び２３，２４とアンテナを模した画像とを関連付ける表示を行うことで、両系統への分配が行われているかを表す。図に示す例では、アンテナを模した画像２５ａと表示部２２，２４とを結ぶ線を描いた表示が行われており、画像２５ａと表示部２２とを結ぶ線が点灯表示されると１号系が、画像２５ａと表示部２２とを結ぶ線が点灯表示されると２号系が、それぞれ分配の対象となっていることが表される。
【００１６】
図３に示す系統表示部４５は、１号系／２号系の何れの受信装置が選択されているかを表示するためのものである。図３に示すように、系統表示部４５は、１号，２号の各系統の監視結果の表示部４１，４２及び４３，４４とアンテナを模した画像とを関連付ける表示を行うことで、何れの系統が選択されているかを表す。図に示す例では、接続表示部４５ｂと接続表示部４５ｃとが同じ色で表示されると１号系が、接続表示部４５ｂと接続表示部４５ｄとが同じ色で表示されると２号系が、それぞれ選択されていることを表してもよい。
【００１７】
また、図２及び図３に示すように、マルチディスプレイ１１には、監視板１を送信機の監視表示及び受信機の監視表示の何れに用いるときにも、１号系，２号系の送信機での規定出力を１００％とした場合の送信出力レベルを表す送信出力レベル計並びに送信電力、又は、１号系，２号系の受信機での回路設計等で定めた入力を１００％とした場合の受信入力レベルを表す受信入力レベル計並びに受信電力を表す電力表示部２８が画像表示される。
【００１８】
また、図２及び図３に示すように、マルチディスプレイ１１には、監視板１を送信機の監視表示及び受信機の監視表示の何れに用いるときにも、監視板１自体の正常／異常を示す動作表示部３１，１号系電源の正常／異常を示す１号系電源表示部３２，２号系電源の正常／異常を示す２号系電源表示部３３，１号系ファンの正常／異常を示す１号系ファン表示部３４，２号系ファンの正常／異常を示す２号系ファン表示部３５，１号サービスチャンネルの正常／異常を示す１号ＳＣ表示部３６，及び２号サービスチャンネルの正常／異常を示す２号ＳＣ表示部３７が画像表示される。これらの表示部は、ランプを模して表され、正常動作時は（緑）に点灯、異常時は（赤）に点灯する表示が行われる。これらの表示部３１〜３７の近傍には、表示部３１〜３７を識別する画像表示も行われる。図に示す例では、動作表示部３１には「動作」，１号系電源表示部３２には「ＰＳ１」，２号系電源表示部３３には「ＰＳ２」，１号系ファン表示部３４には「ファン１」，２号系ファン表示部３５には「ファン２」，１号ＳＣ表示部３６には「ＳＣ１」，２号ＳＣ表示部３７には「ＳＣ２」と、それぞれ識別表示が行われている。
【００１９】
ＡＬＭリセットスイッチ１３は、監視表示の対象となる送信機又は受信機の正常復帰後に、表示部２１〜２４，４１〜４４の下段を正常表示に復帰させるために操作される。保守スイッチ１４は、マルチディスプレイ１１での表示を保守画面に切り替えるために押操作される。自動／手動スイッチ１５は、１号系と２号系との切替を自動で行う自動切替と手動で行う手動切替とを選択するために押操作される。自動／手動スイッチ１５は、上段が自動切替が行われることを表す自動切替表示部、下段が手動切替動作が行われることを表す手動切替表示部となっており、自動切替が選択されると自動切替表示部が点灯し、手動切替が選択されると手動切替表示部が点灯する。系統切替スイッチ１６は、自動／手動スイッチ１５の操作で手動切替が選択された際に、１号又は２号の系統切替を行うために押操作される。系統切替スイッチ１６は、上段が１号系が選択されていることを表す１号系表示部、下段が２号系が選択されていることを表す２号系表示部となっており、１号系が選択されると１号系表示部が点灯し、２号系が選択されると１号系表示部が点灯する。１号系電源表示灯１７は、１号系電源電圧が入力されたか否かを示すためのものであり、１号系電源電圧が入力されると点灯し、その入力がなくなると消灯する。２号系電源表示灯１８は、２号系電源電圧が入力されたか否かを示すためのものであり、２号系電源電圧が入力されると点灯し、その入力がなくなると消灯する。
【００２０】
図４は、保守スイッチ１４の操作で表示されるログ表示画面の構成の概略を示す図である。図４には、受信機の監視表示に用いられる監視板１でのログ表示画面が例示されている。図４に示すように、ログ表示画面は、過去の監視結果を表す画面であり、表示順序及び日時を表す情報、ログの表示対象となる６４ＱＡＭ復調器，受信変換器，６４ＱＡＭ復調器，又は送信変換器を区別する情報、その監視状況を表す情報が画像表示される。
【００２１】
以上説明したように、本実施形態の監視板１によれば、送信機の監視表示、及び、受信機の監視表示とで異なる監視項目の表示をマルチディスプレイ１１で行うことで、監視板１のパネルの構成を変えることなく、共通の装置として製作できる。従って、監視板１の保守作業の効率を高めることができる。
【００２２】
また、全ての監視項目を監視板１の表示で確認することができる。このため、故障時のログや受信入力電界等の一部の監視項目の表示を、専用ソフトをインストールしたパソコンを用いて別途確認する場合等に比べ、監視対象となる送信機や受信機の保守作業の効率も高めることができる。
【００２３】
なお、マルチディスプレイ１１で表示する監視項目は、上記実施形態でのものには限定されない。例えば、マルチディスプレイ１１には、送信機の監視表示に用いる場合には、監視対象となる送信機の送信電力、周波数特性、歪み、消費電流、筐体内部の温度、放熱板温度、及び実装された半導体の表面温度の少なくとも１つを表す情報を表示することができる。また、受信機の監視表示に用いる場合には、監視対象となる受信機の受信電界、相互変調歪（ＩＭ）、ＢＥＲ（ｂｉｔ  ｅｒｒｏｒ  ｒａｔｅ）、ＭＥＲ（Ｍｏｄｕｌａｔｉｏｎ  Ｅｒｒｅｒ  Ｒａｔｉｏ）、遅延プロファイル、コンスタレーション、消費電流、筐体内部の温度、放熱板温度、及び実装された半導体の表面温度の少なくとも１つを表す情報を表示することができる。
【００２４】
また、監視板名称銘板１２，アラームリセットスイッチ１３，保守スイッチ１４，自動/手動切替スイッチ１５，手動切替スイッチ１６，１号系電源表示灯１７，及び２号系電源表示灯１８での表示項目も、マルチディスプレイ１１での画像表示で表示してもよい。これらの中で、ボタン操作される表示項目については、タッチパネル等を用いることで、マルチディスプレイ１１へのタッチ操作で、上記実施形態と同様の情報提供及び操作を行うことが可能となる。
【００２５】
また、マルチディスプレイ１１での監視項目や監視結果の表示態様も任意であり、上記実施形態での構成には限定されない。例えば、図４に示すログ表示の画面は、図２や図３に示す現在の監視状況の表示と並べて表示できるようにしてもよい。また、監視板名称銘板１２のスイッチ操作で送信機の監視表示用と受信機の監視表示用とが切り替えられる構成として、目的に応じて監視板１を使い分けられるようにしてもよい。
【００２６】
また、系統表示部２５の表示態様も任意である。例えば、図３に示す系統表示部４５のように、画像２５ａの接続表示部と表示部２２の接続表示部とが同じ色で表示されると１号系が、画像２５ａの接続表示部と表示部２４の接続表示部とが同じ色で表示されると２号系が、それぞれ選択されていることを表してもよい。
【００２７】
以上、本発明の実施形態について説明したが、本発明の実施態様としては、以下のものを挙げることができる。
実施態様１の監視板は、送信機又は受信機の運用状況の監視結果を表示する監視板であって、監視項目の現在若しくは過去の監視結果を表す複数の監視情報を、盤面に設けられた操作部の操作に応じて、並べて又は切り替えて画像表示する表示装置を備えたことを特徴とする監視板。
また、実施態様２の監視板は、実施態様１において、前記監視情報には、監視対象となる送信機が備える複数の送信系統、又は、監視対象となる受信機が備える複数の受信系統の系統の種別を表す情報が含まれることを特徴とする。
また、実施態様３の監視板は、実施態様１又は２において、前記監視情報には、監視対象となる送信機の送信電力、周波数特性、歪み、消費電流、筐体内部の温度、放熱板温度、及び実装された半導体の表面温度の少なくとも１つを表す情報が含まれることを特徴とする。
また、実施態様４の監視板は、実施態様１又は２において、前記監視情報には、監視対象となる受信機の受信電界、相互変調歪（ＩＭ）、ＢＥＲ（ｂｉｔ  ｅｒｒｏｒ  ｒａｔｅ）、ＭＥＲ（Ｍｏｄｕｌａｔｉｏｎ  Ｅｒｒｅｒ  Ｒａｔｉｏ）、遅延プロファイル、コンスタレーション、消費電流、筐体内部の温度、放熱板温度、及び実装された半導体の表面温度の少なくとも１つを表す情報が含まれることを特徴とする。
【図面の簡単な説明】
【００２８】
【図１】本発明の一実施形態の監視板の外観構成の概略を示す正面図である。
【図２】監視板を受信機の監視表示に用いる場合のマルチディスプレイでの表示画像を説明する図である。
【図３】監視板を送信機の監視表示に用いる場合のマルチディスプレイでの表示画像を説明する図である。
【図４】図４は、受信機の監視表示に用いた監視板１のマルチディスプレイ１１でのログの表示画像を説明する図である。
【符号の説明】
【００２９】
１      監視板
１１    マルチディスプレイ
１２    監視板名称銘板
１３    アラームリセットスイッチ
１４    保守スイッチ
１５    自動/手動切替スイッチ
１６    手動切替スイッチ
１７    １号系電源表示灯
１８    ２号系電源表示灯
【図１】
2009260469.tif 000003
【図２】
2009260469.tif 000004
【図３】
2009260469.tif 000005
【図４】
2009260469.tif 000006